(57)【要約】      （修正有）【課題】モデムを別途取り付ける必要なく、コンピュータをインターネットに接続させることができる、電話線を経由してイーサネット（登録商標）伝送を行う装置を提供する。【解決手段】第１デュープレクサー装置と第２デュープレクサー装置を含む。第１デュープレクサー装置は電話交換機からの音声信号の受信と、インターネットに接続されたイーサネット（登録商標）交換機からのネットワーク信号の受信ができ、かつ音声信号とネットワーク信号を組み合わせ、組み合わせ信号を送信することができる。第２デュープレクサー装置は組み合わせ信号を受信し、組み合わせ信号から音声信号を分けて電話に送信し、かつ組み合わせ信号からネットワーク信号を分けてコンピュータに送信することができる。上述の構造により、コストと施工時間を大幅に節約することができる。【選択図】図１
0003155485.tif 000002
【実用新案登録請求の範囲】
【請求項１】
電話線を経由してイーサネット（登録商標）伝送を行う装置であって、第１デュープレクサー装置と、第２デュープレクサー装置を含み、
前記第１デュープレクサー装置が、音声信号の受信と、イーサネット（登録商標）交換機からのネットワーク信号の受信ができ、かつ前記音声信号と前記ネットワーク信号を組み合わせ、組み合わせ信号を送信することができ、そのうち、前記イーサネット（登録商標）交換機がネットワークに接続され、
前記第２デュープレクサー装置が、前記組み合わせ信号を受信し、前記組み合わせ信号から音声信号を分けて少なくとも１つの電話に送信し、かつ前記組み合わせ信号からネットワーク信号を分けて少なくとも１つのコンピュータに送信することができる、
ことを特徴とする、電話線を経由してイーサネット（登録商標）伝送を行う装置。
【請求項２】
前記第１デュープレクサー装置が電話交換機から音声信号を受信することを特徴とする、請求項１に記載の電話線を経由してイーサネット（登録商標）伝送を行う装置。
【請求項３】
前記第１デュープレクサー装置が電話線を介して前記電話交換機に接続されることを特徴とする、請求項２に記載の電話線を経由してイーサネット（登録商標）伝送を行う装置。
【請求項４】
前記電話線が一対であることを特徴とする、請求項３に記載の電話線を経由してイーサネット（登録商標）伝送を行う装置。
【請求項５】
前記第１デュープレクサー装置と前記第２デュープレクサー装置がそれぞれ送受信信号スプリッタユニット、クロストーク隔離ユニット、周波数分割複信ユニットを含むことを特徴とする、請求項４に記載の電話線を経由してイーサネット（登録商標）伝送を行う装置。
【請求項６】
前記第１デュープレクサー装置と前記第２デュープレクサー装置がさらに信号増幅再構成ユニットを含むことを特徴とする、請求項５に記載の電話線を経由してイーサネット（登録商標）伝送を行う装置。
【請求項７】
前記周波数分割複信ユニットがハイパスフィルタとローパスフィルタを含むことを特徴とする、請求項５に記載の電話線を経由してイーサネット（登録商標）伝送を行う装置。
【請求項８】
前記電話線が２対であることを特徴とする、請求項３に記載の電話線を経由してイーサネット（登録商標）伝送を行う装置。
【請求項９】
前記第１デュープレクサー装置と前記第２デュープレクサー装置がそれぞれ少なくとも１つのハイパスフィルタと少なくとも１つのローパスフィルタを含むことを特徴とする、請求項８に記載の電話線を経由してイーサネット（登録商標）伝送を行う装置。
【請求項１０】
前記第１デュープレクサー装置と前記第２デュープレクサー装置がさらに信号増幅再構成ユニットを含むことを特徴とする、請求項９に記載の電話線を経由してイーサネット（登録商標）伝送を行う装置。
【考案の詳細な説明】
【技術分野】
【０００１】
本考案は電話線を利用してネットワーク通信を達成する装置に関し、特に、一般の電話線のみを通し、別途モデムを取り付ける必要なく、コンピュータをインターネットに接続させることができる、電話線を経由してイーサネット（登録商標）（登録商標）伝送を行う装置に関する。
【背景技術】
【０００２】
科学技術の高度な発展に伴い、パーソナルコンピュータを利用してインターネットに接続することはすでに非常に普及した状態となっている。現在インターネット接続は、接続方式に基づいて分類すると、電話線の利用及び同軸ケーブルの利用でインターネット接続する人が多い。
【０００３】
電話線または同軸ケーブルのどちらを利用してインターネットに接続するにしても、一台のモデムを介して信号の変換を行わなければならない。例えば、コンピュータのデータを電話線（または同軸ケーブル）でインターネットに伝送するとき、先にデータをイーサネット（登録商標）ケーブルでモデムに伝送し、該モデムが信号を電話線（または同軸ケーブル）で伝送可能なアナログ信号に変換しなければ伝送を行うことができない。また、コンピュータでインターネットのデータを受信するときも同様に先にデータを電話線（または同軸ケーブル）でモデムに伝送し、該モデムがアナログ信号をコンピュータで読み取り可能なデジタルデータに変換しなければ伝送を行うことはできない。
【０００４】
現在、ほとんど各家庭では電話線が敷設されているものの、ＣＡＴ５／６などのイーサネット（登録商標）ケーブルの敷設があるとは限らない。現存の電話線を同時にイーサネット（登録商標）と音声サービスに利用できれば、ケーブル材や施工コストを大幅に減らすことができる。このため、現在の技術は改善の必要がある。
【考案の概要】
【考案が解決しようとする課題】
【０００５】
本考案の主な目的は、モデムを別途取り付ける必要なく、コンピュータをインターネットに接続させることができる、電話線を経由してイーサネット（登録商標）伝送を行う装置を提供することにある。
【課題を解決するための手段】
【０００６】
上述の目的を達するため、本考案は、第１デュープレクサー装置と第２デュープレクサー装置を含む。前記第１デュープレクサー装置は電話交換機からの音声信号の受信とイーサネット（登録商標）交換機からのネットワーク信号の受信ができ、前記第１デュープレクサー装置は前記音声信号と前記ネットワーク信号を組み合わせ、組み合わせ信号を送信することができ、そのうち、前記イーサネット（登録商標）交換機はインターネットに接続される。前記第２デュープレクサー装置は前記組み合わせ信号の受信に用いられ、前記第２デュープレクサー装置は前記組み合わせ信号から音声信号を分けて少なくとも１つの電話に送信でき、かつ前記組み合わせ信号からネットワーク信号を分けて少なくとも１つのコンピュータに送信することができる。
【０００７】
そのうち、本考案の第１デュープレクサー装置は音声信号とネットワーク信号を受信し、これら信号を組み合わせ信号として組み合わせ、さらに前記組み合わせ信号を第２デュープレクサーに送信して処理を行わせることができ、前記第２デュープレクサー装置は前記組み合わせ信号から音声信号を分けて電話機に送信し、電話音声通信に使用することができ、かつ前記組み合わせ信号からネットワーク信号を分けてコンピュータに送信し、ネットワークデータ伝送に使用することができる。
【考案の効果】
【０００８】
以上の構造により、例えば前記第１デュープレクサーを建物の集線箇所に設置し、電話線を利用して各ユーザに接続し、ユーザは家の中に第２デュープレクサー装置を設置するだけで、組み合わせ信号を音声信号とネットワーク信号に分けることができ、これにより別途モデムを取り付ける必要なく、同様に電話線を利用してインターネット接続ができる効果を達することができる。また、ブロードバンドでのインターネット接続の普及に伴い、ビルやコミュニティへの光ファイバの導入が増加しており、本考案は現存の電話線を使用して最後の１００ｍのブロードバンド接続を行い、同時にイーサネット（登録商標）を供給でき、コストと施工時間を大幅に減少することができる。
【図面の簡単な説明】
【０００９】
【図１】本考案の最良の実施例のブロック図である。
【図２】本考案の最良の実施例の実施を示す概略図１である。
【図３】本考案の最良の実施例の実施を示す概略図２である。
【図４】本考案の最良の実施例の実施を示す概略図３である。
【図５】本考案の別の最良の実施例の実施を示す概略図１である。
【図６】本考案の別の最良の実施例の実施を示す概略図２である。
【図７】本考案の別の最良の実施例の実施を示す概略図３である。
【考案を実施するための形態】
【００１０】
図１に本考案の最良の実施例のブロック図を示す。この図からはっきりと分かるように、本考案は第１デュープレクサー装置１と、第２デュープレクサー装置２を含む。
【００１１】
前記第１デュープレクサー装置１は電話交換機１１からの音声信号３１の受信と、イーサネット（登録商標）交換機１２からのネットワーク信号３２の受信ができ、該第１デュープレクサー装置１は前記音声信号３１と前記ネットワーク信号３２を組み合わせ、組み合わせ信号３３を伝送することができる。そのうち、前記イーサネット（登録商標）交換機１２はインターネット１３に接続される。
【００１２】
前記第２デュープレクサー装置２は前記組み合わせ信号３３を受信でき、該第２デュープレクサー装置２は前記組み合わせ信号３３から音声信号３１を分けて少なくとも１つの電話２１に伝送でき、かつ該組み合わせ信号３３からネットワーク信号３２を分けて少なくとも１つのコンピュータ２２に伝送することができる。
【実施例１】
【００１３】
上述の構造、構成設計に基づき、本考案の使用作動状況について以下で説明する。図１、図２、図３、図４に本考案の最良の実施例のブロック図、実施を示す概略図１、２、３をそれぞれ示す。これらの図からはっきりと分かるように、本考案を一対の電話線３に応用するとき、図２に示すように、前記第１デュープレクサー装置１が電話交換機１１から音声信号３１を受信し、かつイーサネット（登録商標）交換機１２からネットワーク信号３２を受信する。前記第１デュープレクサー装置１は前記音声信号３１と前記ネットワーク信号３２を組み合わせて組み合わせ信号３３を生成し、かつ電話線３を介して伝送を行うことができる。前記第２デュープレクサー装置２は前記組み合わせ信号３３を受信し、かつ前記組み合わせ信号３３を音声信号３１とネットワーク信号３２に分け、それぞれ電話２１とコンピュータ２２に伝送することができる。
【００１４】
そのうち、前記第１デュープレクサー装置１と前記第２デュープレクサー装置２は、図３に示すように、送受信信号スプリッタユニット４１、クロストーク隔離ユニット４２と、周波数分割複信ユニット４３を含む。また、図４に示すように、さらに信号増幅再構成ユニット４を含んでもよく、これはアクティブモードである。
【００１５】
前記周波数分割複信ユニット４３はハイパスフィルタとローパスフィルタから構成することができ、前記音声信号３１と前記ネットワーク信号３２を区別することができる。
【実施例２】
【００１６】
同時に図１、図５、図６、図７に本考案の最良の実施例のブロック図、別の最良の実施例の実施を示す概略図１、２、３を示す。これらの図からはっきりと分かるように、本考案を２対の電話線３に応用するとき、図５に示すように、前記第１デュープレクサー装置１は電話交換機１１から音声信号３１を受信し、かつイーサネット（登録商標）交換機１２からネットワーク信号３２を受信する。前記第１デュープレクサー装置１は前記音声信号３１と前記ネットワーク信号３２を組み合わせて組み合わせ信号３３を生成し、電話線３を介して伝送を行うことができる。前記第２デュープレクサー装置２は前記組み合わせ信号３３を受信し、かつ前記組み合わせ信号３３を音声信号３１とネットワーク信号３２に分け、それぞれ電話２１とコンピュータ２２に伝送することができる。
【００１７】
そのうち、前記第１デュープレクサー装置１と前記第２デュープレクサー装置２は図６に示すように、ハイパスフィルタ５１とローパスフィルタ５２をそれぞれ含み、また図７に示すように、さらに信号増幅再構成ユニット５を含んでもよく、これはアクティブモードである。
【００１８】
全部の図に示すように、本考案の使用時には従来技術と比較して次のような利点が確実に存在する。本考案は第１デュープレクサー装置１で音声信号３１とネットワーク信号３２を受信し、かつ前記音声信号３１とネットワーク信号３２を組み合わせて組み合わせ信号３３を生成し、電話線３を介して伝送を行うため、実際の状況において使用するとき、前記第１デュープレクサー装置１を建物の集線箇所に設置して統一管理し、電話線３を介して各家庭に接続することができる。前記第２デュープレクサー装置２は家庭内に設置し、前記第２デュープレクサー装置２は前記組み合わせ信号３３を受信して該組み合わせ信号３３を分けて音声信号３１を電話２１に伝送し、ネットワーク信号３２をコンピュータ２２に伝送する。これにより、モデムを介さずにイーサネット（登録商標）の伝送を行うという目的を達することができる。
【符号の説明】
【００１９】
１        第１デュープレクサー装置
１１      電話交換機
１２      イーサネット（登録商標）交換機
１３      インターネット
２        第２デュープレクサー装置
２１      電話
２２      コンピュータ
３        電話線
３１      音声信号
３２      ネットワーク信号
３３      組み合わせ信号
４        信号増幅再構成ユニット
４１      送受信信号スプリッタユニット
４２      クロストーク隔離ユニット
４３      周波数分割複信ユニット
５        信号増幅再構成ユニット
５１      ハイパスフィルタ
５２      ローパスフィルタ
【図１】
0003155485.tif 000003
【図２】
0003155485.tif 000004
【図３】
0003155485.tif 000005
【図４】
0003155485.tif 000006
【図５】
0003155485.tif 000007
【図６】
0003155485.tif 000008
【図７】
0003155485.tif 000009